(57)【要約】      （修正有）【課題】電子デバイスを内部に収容し、強度を高めて変形する危険性を低下させた電磁遮蔽保護ケージを提供する。【解決手段】電子デバイスを収容するための少なくとも１つの実質的に矩形の収容空間を備え、少なくとも１つの収容空間の各々が上壁、下壁、および対向する側壁により画定された、電子装置のケージを開示する。ケージの２つの最外側壁の少なくとも一方が、上部側壁と、上部側壁に接合された下部側壁とを備える。下部側壁は、第１の下部側壁４１と、第１の下部側壁から独立した第２の下部側壁４２とを備え、第１の下部側壁の一部が第２の下部側壁の外側まで延びて外側に当接する。【選択図】図５
2015222813.tif 000002
【特許請求の範囲】
【請求項１】
電子デバイスを収容するための少なくとも１つの実質的に矩形の収容空間を備え、前記少なくとも１つの収容空間の各々が上壁、下壁、および対向する側壁により画定された、電子装置のケージであって、
前記ケージの２つの最外側壁の少なくとも一方が、
上部側壁と、
前記上部側壁に接合された下部側壁とを備え、
前記下部側壁は、第１の下部側壁と、前記第１の下部側壁から独立した第２の下部側壁とを備え、
前記第１の下部側壁の一部が前記第２の下部側壁の外側まで延びて前記外側に当接することを特徴とするケージ。
【請求項２】
前記ケージの２つの最外側壁の各々が、前記上部側壁と前記下部側壁とを備える、
請求項１に記載のケージ。
【請求項３】
外側に突出する曲がり移行部が、前記下壁と前記第１の下部側壁との間に設けられる、請求項１に記載のケージ。
【請求項４】
前記上部側壁は、第１の上部側壁と、前記第１の上部側壁に一体に接続された第２の上部側壁とを備え、
前記第１の下部側壁は前記第１の上部側壁の外側に当接する、
請求項１〜３のいずれか一項に記載のケージ。
【請求項５】
複数のピンが前記第１の上部側壁に設けられ、前記ピンの一部は前記第１の下部側壁の内側で前記下壁を貫通して前記下壁から突出する、
請求項４に記載のケージ。
【請求項６】
前記第２の下部側壁と前記第２の上部側壁とが、相補機能により接合される、
請求項４に記載のケージ。
【請求項７】
前記相補機能は、
前記第２の上部側壁に形成された蟻溝と、
前記第２の下部側壁に形成された、前記蟻溝に嵌合する蟻突起とを備える、
請求項６に記載のケージ。
【請求項８】
切欠きが、前記第１の上部側壁および前記第１の下部側壁の一方に形成され、
前記切欠きに整合する突起が、前記第１の上部側壁および前記第１の下部側壁の他方に形成され、
前記突起は前記切欠きに係合して、前記上部側壁の前記下部側壁からの分離を防止する、
請求項４に記載のケージ。
【発明の詳細な説明】
【技術分野】
【０００１】
本発明はケージに関し、より詳細には電子装置のケージに関する。
【背景技術】
【０００２】
一般に、電子装置、例えば、電気コネクタ、光ファイバコネクタ、光電コンバータ等は、通常、電子デバイスを内部に収容するためのケージを備え、電子デバイスの電磁遮蔽保護を行う。
【０００３】
図１は、先行技術の電子装置のケージの例示的な斜視図である。図２および図３は、ケージの上部ケージおよび下部ケージのそれぞれの例示的な斜視図である。図１〜図３に示すように、ケージ２００は、上部ケージ２０２と、上部ケージ２０２に接合された下部ケージ２０３とを備える。上部ケージと下部ケージとの間に画定された内部空間は、複数の仕切壁によって、コネクタを収容するための複数の実質的に矩形の収容空間２０１に分離される。２つの対向する上部側壁２０２１が上部ケージ２０２に形成され、上部側壁２０２１には突起２０２２が形成される。２つの対向する下部側壁２０３１が下部ケージ２０３に形成され、下部側壁２０３１には突起２０２２に整合する切欠き２０３２が形成される。上部ケージ２０２と下部ケージ２０３とが接合されると、側壁２０３１が上部側壁２０２１の外側に当接し、突起２０２２が切欠き２０３２に係合して、上部ケージおよび下部ケージを共に保持する。同時に、上部側壁２０２１から延びるピン２０２２が下部側壁２０３１の内側で下部ケージを貫通して下部ケージから突出し、ケージ全体を回路基板（図示せず）に取り付ける。
【０００４】
図１に示すように、ケージ２００内に、上部側壁２０２の前端部２０２３と下部ケージとの接合構造は設けられていない。その結果、ケージ２００は、前端部における上部ケージ２０２と下部ケージ２０３との整合部分で強度が弱く、変形、例えば、ポートの割れ、ポートの変位等を受けやすい。ひとたびケージ１００の大きさが変形すると、ケージ内に取り付けられたコネクタの電磁遮蔽保護が低下する。
【発明の概要】
【発明が解決しようとする課題】
【０００５】
本発明は、上記した欠点の少なくとも１つの態様を克服または軽減するためになされたものである。
【課題を解決するための手段】
【０００６】
ケージの上部と下部とが確実に接合されて、ケージの強度を高め、ケージがポートで変形する危険性を低下させる、電子装置のケージを提供することが有利である。
【０００７】
本発明の態様によれば、電子デバイスを収容するための少なくとも１つの実質的に矩形の収容空間を備え、少なくとも１つの収容空間の各々が上壁、下壁、および対向する側壁により画定された、電子装置のケージであって、ケージの２つの最外側壁の少なくとも一方が、上部側壁と、上部側壁に接合された下部側壁とを備え、下部側壁が、第１の下部側壁と、第１の下部側壁から独立した第２の下部側壁とを備え、第１の下部側壁の一部が第２の下部側壁の外側まで延びて外側に当接するケージが提供される。
【０００８】
前記ケージでは、ケージの２つの最外側壁の各々が、上部側壁と下部側壁とを備える。
【０００９】
前記ケージでは、外側に突出する曲がり移行部が、下壁と第１の下部側壁との間に設けられる。
【００１０】
前記ケージでは、上部側壁が、第１の上部側壁と、第１の上部側壁に一体に接続された第２の上部側壁とを備え、第１の下部側壁が第１の上部側壁の外側に当接する。
【００１１】
前記ケージでは、複数のピンが第１の上部側壁に設けられ、ピンの一部が第１の下部側壁の内側で下壁を貫通して下壁から突出する。
【００１２】
前記ケージでは、第２の下部側壁と第２の上部側壁とが、相補機能により接合される。
【００１３】
前記ケージでは、相補機能が、第２の上部側壁に形成された蟻溝と、第２の下部側壁に形成された、蟻溝に嵌合する蟻突起とを備える。
【００１４】
前記ケージでは、切欠きが第１の上部側壁および第１の下部側壁の一方に形成され、切欠きに整合する突起が、第１の上部側壁および第１の下部側壁の他方に形成され、突起が切欠きに係合して、上部側壁が下部側壁から分離するのを防止する。
【００１５】
本発明の上記実施形態によるケージでは、自己保持領域が、第１の下部側壁と第２の下部側壁との間のコンタクト位置に形成され、第２の下部側壁が第１の下部側壁によって支持されて、第２の下部側壁の横方向への変形を防止し、ポートにおけるケージの形状を維持し、ケージの横方向強度を高める。
【００１６】
本発明の上記およびその他の特徴は、添付図面を参照しながら例示的な実施形態を詳細に説明することにより、さらに明らかになろう。
【図面の簡単な説明】
【００１７】
【図１】先行技術の電子装置のケージの例示的な斜視図である。
【図２】図１に示すケージの下部ケージの例示的な斜視図である。
【図３】図１に示すケージの上部ケージの例示的な斜視図である。
【図４】本発明の例示的な実施形態による電子装置のケージの例示的な斜視図である。
【図５】図４のケージの下壁および下部側壁の例示的な局所拡大図である。
【図６】図４のケージの例示的な局所拡大図である。
【図７】下壁および下部側壁を作製するための、ある状態における金属シートの一部の例示的な平面図である。
【図８】図４のケージの上壁および上部側壁の例示的な斜視図である。
【図９】本発明による、自己保持下部側壁を加工する例示的な図である。
【発明を実施するための形態】
【００１８】
添付図面を参照しながら、本開示の例示的な実施形態について、以下で詳細に説明する。図中、同様の参照符号は同様の要素を示す。ただし、本開示は、多くの異なる形で具体化することができ、本明細書に記載される実施形態に限定されるものと解釈すべきではない。むしろ、これらの実施形態は、本開示が徹底した完全なものであり、開示の概念を当業者に十分に伝えるように提供される。
【００１９】
以下の詳細な説明において、開示された実施形態の徹底した理解をもたらすために、説明の目的で多くの特定の詳細を記載する。しかしながら、これらの特定の詳細なしで、１つまたは複数の実施形態を実施してもよいことが明らかであろう。他の例では、図面を簡略化するために、周知の構造およびデバイスが概略的に示される。
【００２０】
本発明の一般的な概念によれば、電子デバイスを収容するための少なくとも１つの実質的に矩形の収容空間を備え、少なくとも１つの収容空間の各々が上壁、下壁、および対向する側壁により画定された、電子装置のケージであって、ケージの２つの最外側壁の少なくとも一方が、上部側壁と、上部側壁に接合された下部側壁とを備え、下部側壁が、第１の下部側壁と、第１の下部側壁から独立した第２の下部側壁とを備え、第１の下部側壁の一部が第２の下部側壁の外側まで延びて外側に当接するケージが提供される。
【００２１】
図４は、本発明の例示的な実施形態による、電子装置のケージの例示的な斜視図である。
【００２２】
図４〜図６に示すように、本発明の例示的な実施形態による電子装置のケージ１００は、１枚の金属シート、例えば、銅またはステンレス鋼から作製することができる。ケージ１００は、電子デバイス（図示せず）を収容するための少なくとも１つの実質的に矩形の収容空間１を備え、少なくとも１つの収容空間１の各々が、上壁２、下壁３、および対向する側壁４により画定される。ケージの２つの最外側壁の各々が、上壁２から垂直に延びる上部側壁と、下壁３から垂直に延びる下部側壁とを備える。下部側壁は上部側壁に接合され、第１の下部側壁４１と、第１の下部側壁４１から独立（分離）した第２の下部側壁４２とを備え、第１の下部側壁４１の一部が第２の下部側壁４２の外側まで延びて外側に当接する。
【００２３】
第１の下部側壁４１の一部が第２の下部側壁４２の外側まで延びて外側に当接するため、自己保持領域が、第１の下部側壁４１と第２の下部側壁４２との間のコンタクト位置に形成される。このようにして、電子デバイス、例えば電気コネクタ等をケージ１００の収容空間１に挿入する間、または他の動作中に、第１の下部側壁４１が第２の下部側壁４２の外側に当接し、第２の下部側壁４２が第１の下部側壁４１によって支持されて、第２の下部側壁の横方向への変形を防止し、ポートにおけるケージの形状を維持し、ケージの横方向強度を高める。
【００２４】
別の実施形態では、図５、図６に示すように、外側に突出する曲がり移行部４３が下壁３と第１の下部側壁４１との間に設けられて、第２の下部側壁４２を第１の下部側壁４１から保持する力を増加させる。
【００２５】
本発明の別の例示的な実施形態によるケージでは、図４および図８に示すように、上部側壁が、第１の上部側壁４４と、第１の上部側壁４４に一体に接続された第２の上部側壁４５とを備え、第１の下部側壁４１が第１の上部側壁４４の外側に当接する。このようにして、図６の部分Ａに示すように、別の自己保持領域が、第１の下部側壁４１および第２の下部側壁４２と第１の上部側壁４４との間のコンタクト位置に形成されて、ケージの強度をさらに高める。
【００２６】
一般に、例えば、導電性ゴムから作製されたガスケット（図示せず）が、ケージ１００の各収容空間のポートに設けられて、挿入された電子デバイス、例えば、電気コネクタ等をガスケットの近くでケージから遮蔽する。これによりポートが変形する危険性が低下するため、ガスケットに擦り傷が付く危険性も低下する。
【００２７】
別の実施形態では、複数のピン４４１が第１の上部側壁４４に設けられ、ピン４４１の一部が第１の下部側壁４１の内側で下壁３を貫通して下壁３から突出し、ケージ１００全体を回路基板（図示せず）に取り付ける。
【００２８】
本発明の別の例示的な実施形態によるケージ１００では、第２の下部側壁４２と第２の上部側壁４５とが相補機能により接合される。実施形態では、相補機能は、第２の上部側壁４５に形成された蟻溝４５１（図８に示す）と、第２の下部側壁４２に形成された、蟻溝４５１に嵌合する蟻突起４２１（図５に示す）とを備えることができる。上部側壁と下部側壁とが接合されると、蟻突起４２１が蟻溝４５１に挿入されて、上部側壁の下部側壁からの上下方向への分離を防止し、さらにケージの強度を高める。
【００２９】
別の実施形態では、上記自己保持構成が、主に横方向の保持力を与えるために使用される。蟻溝構成は、ケージの長手方向に保持力を与えることができる。このようにして、蟻溝構成と自己保持構成とは互いに協働して、ケージのポートの強度を大幅に高める。
【００３０】
別の実施形態では、切欠き４１２が第１の下部側壁４１に形成され、切欠き４１２に整合する突起４４２が第１の上部側壁４４に形成され、突起４４２が切欠き４１２に係合して、上部側壁の下部側壁からの分離を防止する。他の実施形態では、切欠きが第１の上部側壁に形成され、切欠きに整合する突起が第１の下部側壁に形成される。
【００３１】
図９は、本発明による自己保持下部側壁の加工の例示的な図である。
【００３２】
図９に示すように、初めに金属シート３００を、伸長部３０１および突出部３０２を有する２つの部分Ａ、Ｂに切る。次に部分Ａをほぼ垂直に曲げ、部分Ｂを部分Ａの基部３０４の外側で曲げて、部分Ｂの基部３０３で外側に突出する曲がり部を形成することにより、伸長部３０１が部分Ａの外側に当接し、突出部３０２が伸長部３０１より高くなるようにする。その結果、自己保持領域が、伸長部３０１と部分Ａとの間のコンタクト位置に形成され、伸長部３０１が、ある力モーメントを部分Ａに及ぼして、部分Ａの外側への変形を防止することができる。
【００３３】
図９に示す原理に基づいて、金属シートを図７に示す形状を有するように切ってもよい。初めに第２の下部側壁４２を略垂直に曲げ、次に、第２の下部側壁の基部の外側で第１の下部側壁４１を曲げて、第１の下部側壁４１の基部で外側に突出する曲がり移行部を形成することにより、第１の下部側壁４１の一部が第２の下部側壁４２の外側に当接するようにする。
【００３４】
２つの最外側壁の一方のみが、上部側壁を下部側壁から分離可能な構成を有し、２つの最外側壁の他方が一体に形成されることが可能であることを理解されたい。他の実施形態では、２つの最外側壁の各々が、上部側壁を下部側壁から分離可能な構成を有することができ、すなわち、ケージが、図５および図８に示すように互いに分離可能な上部分および下部分を備えることができる。
【００３５】
当業者は、ケージが電気コネクタのケージに限定されないことを理解すべきである。他の実施形態では、ケージが、ＣＰＵ、光電コンバータ、スイッチング回路、充電インターフェース等の任意の電子装置のケージであってよい。ケージは、ケージ内の電子デバイスに電磁遮蔽機能を与えるためだけでなく、電子デバイスを支持するために使用される。例えば、コネクタの本体の挿入を案内し、ヒートシンクを固定するためにケージを使用してもよい。
【００３６】
本発明の上記実施形態によるケージでは、自己保持領域が第１の下部側壁と第２の下部側壁との間のコンタクト位置に形成されるため、電子デバイス、例えば、電気コネクタ等をケージの収容空間に挿入する間、または他の動作中に、第１の下部側壁が第２の下部側壁を支持して、第２の下部側壁の変形を防止し、ポート近くのケージの形状を維持し、ケージの強度を高める。例えば、ケージのポートの割れや変位を防止し、ケージのポートの大きさを確保する。
【００３７】
当業者は、上記実施形態が例示のためのものであり、限定的なものではないことを理解すべきである。例えば、当業者は上記実施形態に多くの修正を行うことができ、異なる実施形態に記載の様々な特徴を、構成または原理において対立することなく互いに自由に組み合わせることができる。
【００３８】
いくつかの例示的な実施形態について図示し説明したが、特許請求の範囲およびそれと同等のもので定義された範囲の開示の原理および精神から逸脱することなく、様々な変更または修正をこれらの実施形態に行うことができることを当業者は理解するだろう。
【００３９】
本明細書で使用される場合、単数形で挙げられた要素および単語「ａ」または「ａｎ」に続く要素は、特に明記のない限り、複数の前記要素またはステップを排除しないものと理解すべきである。さらに、本発明の「一実施形態」への言及は、挙げられた特徴をも組み込んだ追加の実施形態の存在を排除するものと解釈されるものではない。さらに、特に反する記載のない限り、特定の特性を持つ１つまたは複数の要素を「備える（ｃｏｍｐｒｉｓｉｎｇ）」または「有する（ｈａｖｉｎｇ）」実施形態は、その特性を持たない追加のこのような要素を含むことができる。
【図１】
2015222813.tif 000003
【図２】
2015222813.tif 000004
【図３】
2015222813.tif 000005
【図４】
2015222813.tif 000006
【図５】
2015222813.tif 000007
【図６】
2015222813.tif 000008
【図７】
2015222813.tif 000009
【図８】
2015222813.tif 000010
【図９】
2015222813.tif 000011
【外国語明細書】
2015222813000001.pdf